(57)【要約】【課題】施設の居住者向け情報を、施設に設けたサイネージ装置に表示すると共にその居住者の携帯端末に対して提供するデジタルサイネージシステムを提供する。【解決手段】本デジタルサイネージシステムは、サイネージ情報サーバと居住者が居住する施設毎に設置されたサイネージ装置と各居住者の携帯端末と施設の管理会社に置かれる管理装置とが接続され、掲示情報をサイネージ装置及び携帯端末に表示させるデジタルサイネージシステムであって、サイネージ情報サーバは、施設情報、掲示情報、管理会社情報及び居住者情報をそれぞれ蓄積する記憶手段と、当該施設の施設情報と当該掲示情報とを関連付けて記憶手段に記憶させる管理情報処理手段と、掲示情報を、掲示制御情報と共にサイネージ装置に送信するサイネージ処理手段と、携帯端末に所定の条件で記憶手段に記憶されている掲示情報を送信する携帯端末処理手段と、を備えることを特徴とする。【選択図】図１
2015225612.tif 000002
【特許請求の範囲】
【請求項１】
サイネージ情報サーバと、複数の居住者が居住する１又は複数の施設毎に設置されたサイネージ装置と、各前記居住者の携帯端末と、前記施設の管理会社に置かれる管理装置と、が通信ネットワークにより接続され、各前記施設における掲示情報を当該施設のサイネージ装置及び当該施設の前記居住者の携帯端末に表示させるデジタルサイネージシステムであって、
前記サイネージ情報サーバは、
各前記施設の施設情報、前記施設毎の掲示情報、各前記管理会社の管理会社情報及び各前記居住者の居住者情報をそれぞれ蓄積して記憶する記憶手段と、
前記管理装置により前記施設毎の前記掲示情報を入力させ、当該施設の施設情報と当該掲示情報とを関連付けて前記記憶手段に記憶させる管理情報処理手段と、
前記施設毎に前記記憶手段に記憶されている前記掲示情報を、掲示を制御するための掲示制御情報と共に当該施設に設置されている前記サイネージ装置に送信するサイネージ処理手段と、
前記施設毎の前記居住者の前記携帯端末に、所定の条件で前記記憶手段に記憶されている当該施設に対する前記掲示情報を送信する携帯端末処理手段と、
を備え、
各前記サイネージ装置は、表示装置と、
前記サイネージ情報サーバに対し前記掲示情報の送信を要求し、前記掲示情報を受信する掲示情報取得手段と、
受信した前記掲示情報に付された前記掲示制御情報に基づいて前記表示装置の表示を制御する掲示制御手段と、
を備え、
前記居住者の携帯端末に、前記サイネージ情報サーバから受信した前記掲示情報を表示する携帯掲示手段を備えることを特徴とするデジタルサイネージシステム。
【請求項２】
前記管理情報処理手段は、前記管理装置により前記掲示情報毎の緊急度及び重要度を含む指示情報を入力させ、
前記サイネージ処理手段は、前記指示情報に基づいて、各前記掲示情報の表示順序、表示時間及び表示形式を含む前記掲示制御情報を作成する請求項１記載のデジタルサイネージシステム。
【請求項３】
前記サイネージ情報サーバは、
前記管理装置により前記施設毎の前記居住者に対する通知情報を作成させて前記施設情報と関連付けて前記記憶手段に記憶する通知情報作成手段と、
前記記憶手段に記憶された前記通知情報を前記居住者の携帯端末に送信し、前記居住者の携帯端末から当該通知情報に対する回答情報を受信したときに当該回答情報を前記通知情報と関連付けて前記記憶手段に記憶させる通知手段と、
前記管理装置により前記回答情報を閲覧及び加工させる回答処理手段と、
を備える請求項１又は２に記載のデジタルサイネージシステム。
【請求項４】
前記施設情報は前記サイネージ装置を識別及び認証するためのサイネージ装置識別情報を含み、前記管理会社情報は前記管理装置を識別及び認証するための管理装置識別情報を含み、前記居住者情報は前記居住者を識別及び認証するための居住者識別情報を含み、
前記サイネージ情報サーバは、前記施設情報と前記管理会社情報、及び前記施設情報と前記居住者情報を、それぞれ相互に関連付けて前記記憶手段に記憶させる請求項１乃至３のいずれかに記載のデジタルサイネージシステム。
【請求項５】
請求項１乃至４のいずれかに記載のサイネージ情報サーバと接続可能なサイネージ装置であって、
表示装置と、
前記サイネージ情報サーバに対し前記掲示情報の送信を要求し、前記掲示情報を受信する掲示情報取得手段と、
受信した前記掲示情報に付された前記掲示制御情報に基づいて前記表示装置の表示を制御する掲示制御手段と、を備えることを特徴とするサイネージ装置。
【請求項６】
サイネージ情報サーバと、複数の居住者が居住する１又は複数の施設毎に設置されたサイネージ装置と、各前記居住者の携帯端末と、前記施設の管理会社に置かれる管理装置と、が通信ネットワークにより接続され、各前記施設における掲示情報を当該施設のサイネージ装置及び当該施設の前記居住者の携帯端末に表示させるデジタルサイネージ情報サーバ用プログラムであって、
各前記施設の施設情報、前記施設毎の掲示情報、各前記管理会社の管理会社情報及び各前記居住者の居住者情報をそれぞれ蓄積して記憶する記憶機能と、
前記管理装置により前記施設毎の前記掲示情報を入力させ、当該施設の施設情報と当該掲示情報とを関連付けて記憶させる管理情報処理機能と、
前記施設毎に前記記憶されている前記掲示情報を、掲示を制御するための掲示制御情報と共に当該施設に設置されている前記サイネージ装置に送信するサイネージ処理機能と、
前記施設毎の前記居住者の前記携帯端末に、所定の条件で前記記憶されている当該施設に対する前記掲示情報を送信する携帯端末処理機能と、
を備えることを特徴とするデジタルサイネージ情報サーバ用プログラム。
【請求項７】
前記管理情報処理機能は、前記管理装置により前記掲示情報毎の緊急度及び重要度を含む指示情報を入力させ、
前記サイネージ処理機能は、前記指示情報に基づいて、各前記掲示情報の表示順序、表示時間及び表示形式を含む前記掲示制御情報を作成する請求項６記載のデジタルサイネージ情報サーバ用プログラム。
【請求項８】
前記管理装置により前記施設毎の前記居住者に対する通知情報を作成させて前記施設情報と関連付けて記憶する通知情報作成機能と、
前記記憶手段に記憶された前記通知情報を前記居住者の携帯端末に送信し、前記居住者の携帯端末から当該通知情報に対する回答情報を受信したときに当該回答情報を前記通知情報と関連付けて記憶する通知機能と、
前記管理装置により前記回答情報を閲覧及び加工させる回答処理機能と、
を備える請求項６又は７に記載のデジタルサイネージ情報サーバ用プログラム。
【請求項９】
請求項１乃至４のいずれかに記載のサイネージ情報サーバと接続可能にするサイネージ装置用プログラムであって、
前記表示装置に表示を行う表示機能と、
前記サイネージ情報サーバに対し周期的に前記掲示情報の送信を要求し、前記掲示情報を受信する掲示情報取得機能と、
受信した前記掲示情報に付された前記掲示制御情報に基づいて前記表示装置の表示を制御する掲示制御機能と、
を備えることを特徴とするサイネージ装置用プログラム。
【請求項１０】
請求項１乃至４のいずれかに記載のサイネージ情報サーバと接続可能にする携帯端末用プログラムであって、
前記サイネージ情報サーバから受信した前記掲示情報を表示する携帯掲示機能を備えることを特徴とする携帯端末用プログラム。
【請求項１１】
前記サイネージ情報サーバから受信した前記通知情報を表示する通知表示機能と、
前記携帯端末を操作させて前記回答情報を作成し、作成した前記回答情報を前記サイネージ情報サーバに送信する回答送信機能と、
を備える請求項１０記載の携帯端末用プログラム。
【発明の詳細な説明】
【技術分野】
【０００１】
本発明は、複数の居住者が居住するマンション等の施設向けのデジタルサイネージシステムに関する。詳しくは、施設の居住者向け情報を、施設に設けたサイネージ装置に表示すると共にその居住者の携帯端末に対して提供するデジタルサイネージシステム並びにそれに用いるサイネージ装置、デジタルサイネージ情報サーバ用プログラム、サイネージ装置用プログラム及び携帯端末用プログラムに関する。
【背景技術】
【０００２】
従来、複数の居住者が居住する集合住宅（マンション）等においては、居住者に対して案内や連絡事項を周知させるために掲示板を設置し、その掲示板に各種情報を記載した紙を掲示していた。
これに対して、掲示情報を電気的に配信するシステムが提案されている（例えば特許文献１、２を参照。）。特許文献１には、センタ装置で作成した掲示板の画面情報を、一般公衆回線を介して集合住宅等に設置された複数の端末装置に伝送し、記憶・表示させる電子掲示板システムが記載されている。また、特許文献２には、公共施設等に設置されたデジタルサイネージの表示内容を、近くにいる携帯端末を所有する所有者の所有者情報に合わせた内容にするデジタルサイネージ配信システムが記載されている。
【先行技術文献】
【特許文献】
【０００３】
【特許文献１】特開平１０−２８５５７２号
【特許文献２】特開２０１３−１６１３６０号
【発明の概要】
【発明が解決しようとする課題】
【０００４】
しかし、特許文献１に開示されているようなシステムは、複数の掲示情報がある場合においては、決められた時間毎に切り替えて表示がされるため、居住者が必要な掲示情報を即座に確認するには適さなかった。また、特許文献２に開示されているようなシステムは、デジタルサイネージによる表示が目的であり、施設とは離れている居住者の携帯端末に掲示情報を表示させることは検討されていなかった。
【０００５】
本発明は、上記状況に鑑みてなされたものであり、施設の居住者向け情報を、施設に設けたサイネージ装置に表示すると共にその居住者の携帯端末に対して提供するデジタルサイネージシステム並びにそれに用いるサイネージ装置、デジタルサイネージ情報サーバ用プログラム、サイネージ装置用プログラム及び携帯端末用プログラムを提供することを目的とする。
【課題を解決するための手段】
【０００６】
１．サイネージ情報サーバと、複数の居住者が居住する１又は複数の施設毎に設置されたサイネージ装置と、各前記居住者の携帯端末と、前記施設の管理会社に置かれる管理装置と、が通信ネットワークにより接続され、各前記施設における掲示情報を当該施設のサイネージ装置及び当該施設の前記居住者の携帯端末に表示させるデジタルサイネージシステムであって、前記サイネージ情報サーバは、各前記施設の施設情報、前記施設毎の掲示情報、各前記管理会社の管理会社情報及び各前記居住者の居住者情報をそれぞれ蓄積して記憶する記憶手段と、前記管理装置により前記施設毎の前記掲示情報を入力させ、当該施設の施設情報と当該掲示情報とを関連付けて前記記憶手段に記憶させる管理情報処理手段と、前記施設毎に前記記憶手段に記憶されている前記掲示情報を、掲示を制御するための掲示制御情報と共に当該施設に設置されている前記サイネージ装置に送信するサイネージ処理手段と、前記施設毎の前記居住者の前記携帯端末に、所定の条件で前記記憶手段に記憶されている当該施設に対する前記掲示情報を送信する携帯端末処理手段と、を備え、各前記サイネージ装置は、表示装置と、前記サイネージ情報サーバに対し前記掲示情報の送信を要求し、前記掲示情報を受信する掲示情報取得手段と、受信した前記掲示情報に付された前記掲示制御情報に基づいて前記表示装置の表示を制御する掲示制御手段と、を備え、前記居住者の携帯端末に、前記サイネージ情報サーバから受信した前記掲示情報を表示する携帯掲示手段を備えることを特徴とするデジタルサイネージシステム。
２．前記管理情報処理手段は、前記管理装置により前記掲示情報毎の緊急度及び重要度を含む指示情報を入力させ、前記サイネージ処理手段は、前記指示情報に基づいて、各前記掲示情報の表示順序、表示時間及び表示形式を含む前記掲示制御情報を作成する前記１．記載のデジタルサイネージシステム。
３．前記サイネージ情報サーバは、前記管理装置により前記施設毎の前記居住者に対する通知情報を作成させて前記施設情報と関連付けて前記記憶手段に記憶する通知情報作成手段と、前記記憶手段に記憶された前記通知情報を前記居住者の携帯端末に送信し、前記居住者の携帯端末から当該通知情報に対する回答情報を受信したときに当該回答情報を前記通知情報と関連付けて前記記憶手段に記憶させる通知手段と、前記管理装置により前記回答情報を閲覧及び加工させる回答処理手段と、を備える前記１．又は前記２．に記載のデジタルサイネージシステム。
４．前記施設情報は前記サイネージ装置を識別及び認証するためのサイネージ装置識別情報を含み、前記管理会社情報は前記管理装置を識別及び認証するための管理装置識別情報を含み、前記居住者情報は前記居住者を識別及び認証するための居住者識別情報を含み、前記サイネージ情報サーバは、前記施設情報と前記管理会社情報、及び前記施設情報と前記居住者情報を、それぞれ相互に関連付けて前記記憶手段に記憶させる前記１．乃至前記３．のいずれかに記載のデジタルサイネージシステム。
５．前記１．乃至前記４．のいずれかに記載のサイネージ情報サーバと接続可能なサイネージ装置であって、表示装置と、前記サイネージ情報サーバに対し前記掲示情報の送信を要求し、前記掲示情報を受信する掲示情報取得手段と、受信した前記掲示情報に付された前記掲示制御情報に基づいて前記表示装置の表示を制御する掲示制御手段と、を備えることを特徴とするサイネージ装置。
６．サイネージ情報サーバと、複数の居住者が居住する１又は複数の施設毎に設置されたサイネージ装置と、各前記居住者の携帯端末と、前記施設の管理会社に置かれる管理装置と、が通信ネットワークにより接続され、各前記施設における掲示情報を当該施設のサイネージ装置及び当該施設の前記居住者の携帯端末に表示させるデジタルサイネージ情報サーバ用プログラムであって、各前記施設の施設情報、前記施設毎の掲示情報、各前記管理会社の管理会社情報及び各前記居住者の居住者情報をそれぞれ蓄積して記憶する記憶機能と、前記管理装置により前記施設毎の前記掲示情報を入力させ、当該施設の施設情報と当該掲示情報とを関連付けて記憶させる管理情報処理機能と、前記施設毎に前記記憶されている前記掲示情報を、掲示を制御するための掲示制御情報と共に当該施設に設置されている前記サイネージ装置に送信するサイネージ処理機能と、前記施設毎の前記居住者の前記携帯端末に、所定の条件で前記記憶されている当該施設に対する前記掲示情報を送信する携帯端末処理機能と、を備えることを特徴とするデジタルサイネージ情報サーバ用プログラム。
７．前記管理情報処理機能は、前記管理装置により前記掲示情報毎の緊急度及び重要度を含む指示情報を入力させ、前記サイネージ処理機能は、前記指示情報に基づいて、各前記掲示情報の表示順序、表示時間及び表示形式を含む前記掲示制御情報を作成する前記６．記載のデジタルサイネージ情報サーバ用プログラム。
８．前記管理装置により前記施設毎の前記居住者に対する通知情報を作成させて前記施設情報と関連付けて記憶する通知情報作成機能と、前記記憶手段に記憶された前記通知情報を前記居住者の携帯端末に送信し、前記居住者の携帯端末から当該通知情報に対する回答情報を受信したときに当該回答情報を前記通知情報と関連付けて記憶する通知機能と、前記管理装置により前記回答情報を閲覧及び加工させる回答処理機能と、を備える前記６．又は前記７．に記載のデジタルサイネージ情報サーバ用プログラム。
９．前記１．乃至前記４．のいずれかに記載のサイネージ情報サーバと接続可能にするサイネージ装置用プログラムであって、前記表示装置に表示を行う表示機能と、前記サイネージ情報サーバに対し周期的に前記掲示情報の送信を要求し、前記掲示情報を受信する掲示情報取得機能と、受信した前記掲示情報に付された前記掲示制御情報に基づいて前記表示装置の表示を制御する掲示制御機能と、を備えることを備えることを特徴とするサイネージ装置用プログラム。
１０．前記１．乃至前記４．のいずれかに記載のサイネージ情報サーバと接続可能にする携帯端末用プログラムであって、前記サイネージ情報サーバから受信した前記掲示情報を表示する携帯掲示機能を備えることを特徴とする携帯端末用プログラム。
１１．前記サイネージ情報サーバから受信した前記通知情報を表示する通知表示機能と、前記携帯端末を操作させて前記回答情報を作成し、作成した前記回答情報を前記サイネージ情報サーバに送信する回答送信機能と、を備える前記１０．記載の携帯端末用プログラム。
【発明の効果】
【０００７】
本デジタルサイネージシステムによれば、サイネージ情報サーバと、複数の居住者が居住する１又は複数の施設毎に設置されたサイネージ装置と、各前記居住者の携帯端末と、前記施設の管理会社に置かれる管理装置と、が通信ネットワークにより接続されており、前記サイネージ情報サーバは、各施設の施設情報、施設毎の掲示情報、各管理会社の管理会社情報及び各居住者の居住者情報をそれぞれ蓄積して記憶する記憶手段と、管理装置により施設毎の掲示情報を入力させ、施設情報と掲示情報とを関連付けて記憶手段に記憶させる管理情報処理手段と、施設毎に記憶手段に記憶されている掲示情報を、掲示を制御するための掲示制御情報と共に当該施設に設置されているサイネージ装置に送信するサイネージ処理手段と、を備え、各サイネージ装置は、表示装置と、サイネージ情報サーバに対し前記掲示情報の送信を要求し、掲示情報を受信する掲示情報取得手段と、受信した掲示情報に付された掲示制御情報に基づいて表示装置の表示を制御する掲示制御手段と、を備えるため、それぞれの集合住宅等施設のエントランス等に設置されたサイネージ装置に、その居住者に知らせるべき情報を適切な態様でタイムリーに表示させることが可能になる。また、サイネージ情報サーバは、施設毎の居住者の携帯端末に、所定の条件で記憶手段に記憶されている当該施設に対する掲示情報を送信する携帯端末処理手段を備え、居住者の携帯端末に、サイネージ情報サーバから受信した掲示情報を表示する携帯掲示手段を備えるため、居住者が外出中である等サイネージ装置の掲示を見ることができない場合であっても、その居住者の保持する携帯端末に、掲示情報を適切な態様でタイムリーに表示させることができる。また、サイネージ情報サーバに備えられる管理情報処理手段により、各施設を管理する管理会社毎に、各施設及びその居住者の携帯端末に表示させる掲示情報を容易に作成・編集させることができるので、案内・連絡事項の迅速な提供及び管理が容易となり、各管理会社の負担を大幅に軽減することができる。更に、各施設情報、居住者の携帯端末情報、種々の掲示情報、各管理会社情報等は、一括してサイネージ情報サーバによって管理・処理されるため、情報のセキュリティを高めることが容易になる。
【０００８】
前記管理情報処理手段は、前記管理装置により掲示情報毎の緊急度及び重要度を含む指示情報を入力させ、前記サイネージ処理手段は、指示情報に基づいて、各掲示情報の表示順序、表示時間及び表示形式を含む掲示制御情報を作成する場合には、サイネージ情報サーバは、指示された掲示情報毎の緊急度及び重要度に応じて、サイネージ装置に対して表示順序、表示時間及び表示形式（掲示情報毎の大きさや配分、強調表示等）の表示態様を制御させることができる。これにより、例えば、緊急且つ重要な情報はテロップ形式で常時表示する等の制御をすることができる。また、指示された掲示情報毎の緊急度及び重要度等を所定の条件によって判断することによって、居住者の携帯端末に対して適切な掲示情報を送り、緊急度や重要度に見合った表示態様によって表示させることができる。
【０００９】
前記サイネージ情報サーバは、前記管理装置により施設毎の居住者に対する通知情報を作成させて施設情報と関連付けて前記記憶手段に記憶する通知情報作成手段と、記憶手段に記憶された通知情報を居住者の携帯端末に送信し、居住者の携帯端末から当該通知情報に対する回答情報を受信したときに当該回答情報を通知情報と関連付けて記憶手段に記憶させる通知手段と、管理装置により回答情報を閲覧及び加工させる回答処理手段と、を備える場合には、居住者に対し、回覧情報、会合情報等をより確実に通知することができる。また、通知に対する閲覧確認、賛否、出席等の回答情報を居住者から取得し、管理会社においてその閲覧等が可能になるため、管理会社の負担を大幅に軽減することができる。
【００１０】
前記施設情報は前記サイネージ装置を識別及び認証するためのサイネージ装置識別情報を含み、前記管理会社情報は前記管理装置を識別及び認証するための管理装置識別情報を含み、前記居住者情報は前記居住者を識別及び認証するための居住者識別情報を含み、前記サイネージ情報サーバは、施設情報と管理会社情報、及び施設情報と居住者情報を、それぞれ相互に関連付けて前記記憶手段に記憶させる場合には、各掲示情報を適切なサイネージ装置及び携帯端末に送信することができ、本デジタルサイネージシステムにおける情報セキュリティを確実なものとすることができる。
【００１１】
前記サイネージ情報サーバと接続可能なサイネージ装置によれば、それぞれの集合住宅等施設のエントランス等に設置され、その居住者に知らせるべき情報を適切な態様でタイムリーに表示することができる。
【００１２】
本発明のデジタルサイネージ情報サーバ用プログラムによれば、前記サイネージ情報サーバに好適な機能をコンピュータ上に実現することができる。
【００１３】
前記サイネージ情報サーバと接続可能な携帯端末用プログラムによれば、前記施設の居住者の保持する携帯端末上に、掲示情報を適切な態様でタイムリーに表示させる機能を実現することができる。
【図面の簡単な説明】
【００１４】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】デジタルサイネージシステムの構成を表すブロック図である。
【図２】サイネージ装置の構成を表すブロック図である。
【図３】携帯端末に掲示及び通知するための構成を表すブロック図である。
【図４】管理装置の構成を表すブロック図である。
【図５】サイネージ情報サーバの構成を表すブロック図である。
【図６】デジタルサイネージシステムに蓄積して記憶される情報を説明するための図である。
【図７】管理装置における掲示情報の作成画面の例である。
【図８】管理装置における掲示情報の（前図に続く）作成画面の例である。
【図９】管理装置における掲示情報の（前図に続く）作成画面の例である。
【図１０】管理装置における携帯端末向け掲示情報の作成画面の例である。
【図１１】管理装置における掲示情報の編集画面の例である。
【図１２】サイネージ装置における掲示情報取得処理の例を示すフローチャートである。
【図１３】サイネージ装置における掲示情報の掲示処理の例を示すフローチャートである。
【図１４】携帯端末における掲示情報取得処理の例を示すフローチャートである。
【図１５】携帯端末における掲示情報の掲示処理の例を示すフローチャートである。
【図１６】掲示情報の表示例である。
【図１７】掲示情報の表示例である。
【発明を実施するための形態】
【００１５】
以下、図を参照しながら、本発明を詳しく説明する。
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１６】
１．デジタルサイネージシステムの構成
本デジタルサイネージシステムは、集合住宅等の施設毎に、当該施設に居住する居住者に対する情報の掲示等をするためのシステムであり、掲示すべき情報は、当該施設を管理する管理会社によって作成することができる。図１は、本実施形態に係るデジタルサイネージシステムの構成を表しており、デジタルサイネージシステム１は、サイネージ情報サーバ２と、複数の居住者が居住する施設６０毎に設置されたサイネージ装置６と、各施設６０に居住する居住者８０の各携帯端末８と、施設６０の管理会社４０に置かれる管理装置４と、が通信ネットワーク９により接続され、各施設６０における掲示情報を当該施設６０のサイネージ装置６に表示すると共に、当該施設６０の居住者８０の各携帯端末８に表示させるように構成されている。
【００１７】
上記「施設」は、一定の複数の人により、期間を問わず、区分されて使用される又は継続的に使用される施設を意図している。施設６０の種類や数は特に問わず、例えば、集合住宅、寮、学校、病院等が挙げられる。好適には、複数の居住者が居住する集合住宅（マンション、アパート、寮等）を挙げることができる。
上記「居住者」は、上記施設を使用する者である限り限定されない。施設毎の使用者の全部又は一部を、居住者（８０）という。居住者８０は、建物、区域、部門等によって更にグループ分けがされてもよい。
上記「管理会社」は、各上記施設６０を管理する者を意図している。管理会社には、上記施設の管理を委託された企業や管理組合、上記施設の管理部門、管理人等を含み、その形態や数は特に問わない。例えば、管理会社４０は複数あってもよいし、１つの管理会社４０が複数の施設６０を管理する者であってもよい。
【００１８】
サイネージ装置６、携帯端末８及び管理装置４は、通信ネットワーク９を介してサイネージ情報サーバ２と接続されている。この通信ネットワーク９の構成は特に限定されず、インターネット等一般的なネットワークでもよいし、専用の通信回線であってもよい。また、携帯端末８は携帯電話網等を介して接続されてもよい。
【００１９】
（サイネージ装置）
サイネージ装置６は、施設６０のエントランス（玄関、ロビー）や通路等、居住者の共用部に設置され、施設６０の居住者に対して知らせる情報を文字や画像等により表示する装置である。施設６０毎に設置されるサイネージ装置６の数や具体的な構成は、特に限定されない。サイネージ装置６は、通信ネットワーク９を介してサイネージ情報サーバ２と接続される。
図２に示すように、サイネージ装置６は、表示装置６２と、掲示情報取得手段６４と、掲示制御手段６６とを備える。また、記憶手段６５を、掲示情報の格納や上記各手段による処理のために備えることができる。
【００２０】
サイネージ装置６に備えられる表示装置６２は、任意のテキストや画像等の表示を行うことができればよく、その種類やサイズは問わない。表示装置６２として、例えば、液晶ディスプレイ、ＥＬディスプレイ、ＬＥＤディスプレイ、電子ペーパー等を挙げることができる。
掲示情報取得手段６４は、サイネージ情報サーバ２に対し掲示情報の送信を要求し、掲示情報を受信する手段である。掲示情報取得手段６４は、周期的に掲示情報の送信を要求するように構成することができる。
掲示制御手段６６は、受信した掲示情報に付された掲示制御情報に基づいて表示装置６２の表示を制御し、掲示情報を表示する手段である。
上記各手段は、通信ネットワーク９を介した通信及び表示装置６２の表示制御が可能なコントローラ又はコンピュータ上に構成することができ、例えば、専用コントローラであってもよいし、パソコン（ＰＣ）等を用いて構成することもできる。
【００２１】
サイネージ装置６は、上記のようなコントローラ又はコンピュータ上に、サイネージ情報サーバ２と接続可能であって、表示装置６２に表示を行う表示機能と、サイネージ情報サーバ２に対し周期的に掲示情報の送信を要求し、掲示情報を受信する掲示情報取得機能と、受信した掲示情報に付された掲示制御情報に基づいて表示装置６２の表示を制御する掲示制御機能と、を備えるサイネージ装置用プログラムを搭載することによって実現することができる。
【００２２】
（携帯端末）
居住者の各携帯端末８は、本デジタルサイネージシステム１の携帯端末用プログラムをダウンロードし、その後ダウンロードしたプログラムが実行可能になる。携帯端末用プログラムが実装されることにより、携帯端末８は以下の各手段を備えることができる。
各携帯端末８には、サイネージ情報サーバ２から送信された携帯掲示情報を、各携帯端末８に備えられている表示器８２に表示する携帯掲示手段が備えられる。携帯掲示手段は、受信した掲示情報を記憶し、携帯端末８の使用者の操作に応じて、その選択や表示を行うように構成することができる。上記携帯掲示手段の具体的な構成は特に限定されない。
例えば、上記携帯掲示手段は、具体的には図３に示すように、携帯掲示情報取得手段８４、記憶手段８５、携帯掲示制御手段８６等により構成することができる。その場合、携帯端末８は、携帯掲示情報取得手段８４によりサイネージ情報サーバ２から送信された携帯端末向け掲示情報を取得し、それを記憶手段８５に格納し、携帯掲示制御手段８６により使用者の操作に応じて携帯端末８の表示器８２に表示するようにすることができる。
【００２３】
携帯端末８には、更に通知表示手段８７及び回答送信手段８８を備えることができる。通知表示手段８７は、サイネージ情報サーバ２から送信された居住者への通知情報を、携帯端末８の使用者の操作に応じて表示器８２に表示する手段である。また、回答送信手段８８は、携帯端末８の使用者に操作をさせて前記通知情報に対する回答情報を作成し、作成した回答情報をサイネージ情報サーバ２に送信する手段である。
【００２４】
前記携帯端末用プログラムは、サイネージ情報サーバ２と接続可能な携帯端末用プログラムであって、携帯端末８上で、前記携帯掲示手段（携帯掲示情報取得手段８４、記憶手段８５、携帯掲示制御手段８６等）を実行する携帯掲示機能を備えることができる。
また、携帯端末用プログラムは、携帯端末８上で、前記通知表示手段８７を実行する通知表示機能、及び前記回答送信手段８８を実行する回答送信機能を備えることができる。
【００２５】
使用される携帯端末８は、その通信方式や構成は特に限定されず、例えば、一般の携帯電話端末、タブレット端末、ノート型パソコン（ＰＣ）等が挙げられる。通信ネットワーク９がインターネットであり、携帯端末８が所謂スマートフォンやタブレット端末等、インターネットに接続可能な端末機器であることが好ましい。尚、携帯端末８は、携行可能な端末に限られず、主に据置きで使用されるデスクトップ型ＰＣや所謂キオスク端末等であってもよい。
【００２６】
（管理装置）
管理装置４は、各管理会社４０に置かれ、施設６０毎のサイネージ装置６に表示する掲示情報、及び施設６０の居住者が保持する各携帯端末８に表示する携帯向けの掲示情報等を作成・編集等するための装置である。また、管理装置４において、携帯端末８に通知する通知情報を作成・編集等し、各携帯端末８から返信された回答情報について閲覧や集計等が可能なように構成することができる。
管理会社４０毎に設置される管理装置４の数や具体的な構成は特に問わない。管理装置４は、例えば、一般のＰＣを使用して構成することができる。また、管理装置４として、管理会社の担当者や施設の管理人等が持つ携帯端末が使用可能に構成されてもよい。
【００２７】
管理装置４は、通信ネットワーク９を介してサイネージ情報サーバ２と接続され、図４に示すように、ディスプレイ装置及び操作入力装置を用いる表示操作手段４１、サーバアクセス手段４２、を備えており、サーバアクセス手段４２により通信ネットワーク９経由でサイネージ情報サーバ２と接続し、表示操作手段４１により、サイネージ情報サーバ２の管理情報処理手段２４等の機能を利用するように構成することができる。そして、管理装置４は、サイネージ装置向けの掲示情報及び携帯端末向けの掲示情報（両者は同じであってもよい）、携帯端末向けの通知情報を作成し、編集するための情報編集手段４４を備えている。この情報編集手段４４により、施設情報、管理会社情報、居住者情報等をサイネージ情報サーバ２に予め登録し、及びそれら登録された情報を保守可能とするように構成することができる。
また、管理装置４には、サイネージ情報サーバ２に接続して、携帯端末８から受信された回答情報を閲覧するための回答情報処理手段４６を備えることができる。
【００２８】
（サイネージ情報サーバ）
サイネージ情報サーバ２は、図５に示すように、各施設６０の施設情報、施設６０毎の掲示情報、各管理会社４０の管理会社情報及び各居住者８０の居住者情報等をそれぞれ蓄積して記憶する記憶手段３と、管理装置４により施設６０毎の掲示情報を入力させ、当該施設６０の施設情報と当該掲示情報とを関連付けて記憶手段３に記憶させる管理情報処理手段２４と、施設６０毎に記憶手段３に記憶されている掲示情報を、掲示を制御するための掲示制御情報と共に当該施設６０に置かれているサイネージ装置６に送信するサイネージ処理手段２６と、施設６０毎の居住者の携帯端末８に、所定の条件で、記憶手段３に記憶されている当該施設６０に対する掲示情報を送信する携帯端末処理手段２８と、を備える。
【００２９】
上記管理情報処理手段２４は、通信ネットワーク９を介して各管理装置４との通信を行う管理装置通信手段２４０を用いて、その処理及び制御を行うように構成することができる。
上記サイネージ処理手段２６は、通信ネットワーク９を介して各サイネージ装置６との通信を行うサイネージ通信手段２６０を用いて、その処理及び制御を行うように構成することができる。
上記携帯端末処理手段２８は、通信ネットワーク９を介して各携帯端末８との通信を行う携帯端末通信手段２８０を用いて、その処理及び制御を行うように構成することができる。
【００３０】
記憶手段３には、図６に示すように、施設情報３６、掲示情報３１、管理会社情報３４及び居住者情報３８等、本デジタルサイネージシステム１が使用する各種情報を関連付けて記憶するデータベースを構成することができる。
個々の施設情報３６Ｘは、個々の施設６０Ｘに関する情報であり、施設６０Ｘを特定可能である限り、記憶する項目や内容は問わない。例えば、施設６０Ｘの名称、識別コード、住所、施設のある学区等の情報を含むことができる。
また、施設情報３６Ｘには、施設６０Ｘに設置されている１又は複数のサイネージ装置６を特定するためのサイネージ装置情報を含むことができる。サイネージ装置情報として、例えば、サイネージ装置６の番号（識別コード）や、サイネージ情報サーバ２による認証に必要な認証番号、その他任意の情報を含むことができる。
【００３１】
掲示情報３１は、サイネージ装置６に掲示し、及び所定の条件にて携帯端末８上に掲示する情報である。サイネージ装置６向けの掲示情報と携帯端末８向けの掲示情報は、同じであってもよいし、いずれかに向けたものであることが区別されてもよく、全てをまとめてたんに掲示情報３１という。
個々の掲示情報３１ｎの具体的な項目や内容は問わない。個々の掲示情報３１ｎには、正味の掲示情報（文字情報、及び任意の画像、音声、動画等を含む）と、その掲示を制御するために必要な掲示制御情報（例えば、相対的な表示順序、相対的な表示時間、表示形式等）が含まれる。また、各掲示情報３１ｎの特定や管理のための管理情報（例えば、対象施設、対象区域、種別、作成者、作成日時、掲示開始日、掲示終了日等）を付しておくことができる。また、個々の掲示情報３１ｎを作成する際には、その緊急度、重要度、影響度等を示す指示情報を付すことができる。その掲示情報３１ｎの携帯端末８への送信の要不要等を示す情報を指示情報として付してもよい。
掲示情報３１は、施設６０毎に関連付けて記憶手段３に蓄積して記憶される。
【００３２】
掲示情報３１の内容は任意であり、例えば、施設６０内の障害や点検の情報、施設６０内の修繕の情報（図１６参照）、居住者の引越し等の作業に伴うエレベータの占有の情報、管理組合の会合等の情報（図１７参照）、ゴミ出し日の案内情報、災害時の連絡等が挙げられる。これらの情報の形式は問わず、テキスト情報であってもよいし、画像情報等が付加されてもよい。
【００３３】
管理情報処理手段２４は、掲示を行う施設６０Ｘを管理する管理会社４０ｘに置かれた管理装置４ｘにより、これら掲示情報３１ｎの内容を作成させるように構成される。管理装置４ｘとして管理担当者等が持つ携帯端末等を使用可能に構成することができる。また、掲示情報３１ｎに付される上記管理情報のいくつかの項目（例えば、作成者、作成日時等）は、管理情報処理手段２４により自動的に付加するようにすることができる。
また、管理情報処理手段２４は、掲示情報３１の一覧や個々の内容の閲覧、編集、変更等を管理装置４により可能とするように構成することができる。
【００３４】
管理会社情報３４は、各管理会社４０を識別するために予め登録される情報である。
個々の管理会社情報３４ｘは、施設６０毎に関連付けて記憶手段３に記憶される。管理会社情報３４ｘの具体的な項目や内容は問わない。例えば、名称、識別コード、担当者氏名・識別コード・パスワード、電話番号等が挙げられる。また、管理会社情報３４ｘには、その管理会社４０ｘに設置された１又は２以上の管理装置４ｘを識別及び認証するための管理装置情報を含むことができる。管理装置４ｘとして携帯端末等が使用される場合には、担当者等が掲示情報３１等を作成・閲覧等するために、その携帯端末等の情報を管理装置情報として含むことができる。
【００３５】
居住者情報３８は、各施設の居住者が持っている携帯端末８との通信のために必要な情報であり、予め登録される。
個々の居住者情報３８ｎは、施設６０毎に関連付けて記憶手段３に記憶される。居住者情報３８ｎは、建物（棟）や階等、居住区域等によって適宜グループ分けしておくこともできる。居住者情報３８ｎの具体的な項目や内容は問わない。例えば、居住者ｎの氏名、住所、携帯端末８のアドレス、識別コード、パスワード、携帯端末８の種別等が挙げられる。
【００３６】
更に、記憶手段３には、掲示情報３１とは別に、施設６０毎又は特定グループの居住者に通知する情報（例えば、回覧事項、アンケート、会合等の関係者への案内等）を、通知情報３２として記憶させることができる。個々の通知情報３２ｎは、施設６０Ｘに関連付けて記憶手段３に記憶される。通知情報３２ｎの具体的な項目や内容は問わない。個々の通知情報３２ｎには、正味の通知情報（文字情報、及び任意の画像、音声、動画等を含む）と、その表示を制御するために必要な表示制御情報（例えば、相対的な表示順序、表示形式等）を含むことができる。また、通知情報３２ｎの特定や管理のための管理情報（例えば、施設、グループ、種別、作成者、作成日時、通知開始日、有効期限等）を付しておくことができる。また、個々の通知情報３２ｎを作成する際には、その緊急度、重要度、影響度等を示す指示情報を付すことができる。
【００３７】
図５に示したように、施設６０Ｘを管理する管理会社４０ｘに置かれた管理装置４ｘにより上記通知情報３２ｎを作成させるように、サイネージ情報サーバ２に通知情報作成手段２４２を備えることができる。また、通知情報作成手段２４２は、通知情報３２の一覧や個々の内容の閲覧、編集、変更等を管理装置４により可能とするように構成することができる。
【００３８】
また、記憶手段３には、通知情報３２に対する居住者からの回答等を、回答情報３３として記憶させることができる。個々の回答情報３３ｎは、通知情報３２ｎに関連付けて記憶手段３に記憶させることができる。回答情報３３の具体的な内容は問わず、例えば、回答者（居住者）、回答日時、回答内容、その他任意の事項とされればよい。回答内容は、例えば、アンケートに対する回答、会合等の出欠、重要度の高い掲示情報や通知情報が閲覧済みであるか等の情報を挙げることができる。
【００３９】
サイネージ情報サーバ２は、図５に示したように、サイネージ処理手段２６、携帯端末処理手段２８を備えている。
サイネージ処理手段２６は、施設６０に関連付けて記憶手段３に記憶されている掲示情報３１から現在有効なものを選択し、その掲示情報３１の掲示を制御するための掲示制御情報と共に、施設６０に設置されているサイネージ装置６に送信するように構成されている。掲示制御情報は、サイネージ装置６に対して、例えば、掲示のサイクルや相対的な時間、相対的な大きさ、強調・テロップ形式など表示態様を指定するための情報である。掲示制御情報は、管理装置４から入力された指示情報そのものであってもよいし、入力された指示情報（重要度、緊急度、影響度等）に基づいて、サイネージ処理手段２６により生成するように構成することもできる。
【００４０】
携帯端末処理手段２８は、施設６０毎の居住者の携帯端末８に、所定の条件で、記憶手段３に記憶されている施設６０に対する掲示情報を送信するように構成されている。上記「所定の条件」は、掲示情報のうち居住者に関係のある掲示情報を選択するための条件をいう。例えば、掲示情報３１ｎの作成時に携帯端末８に送信すべきか否かを指示情報として設定させてもよい。また、掲示情報３１毎の重要度・緊急度等その指示情報の内容に基づいて、携帯端末処理手段２８が送信の要否、送信時期、再送条件等を設定するようにしてもよい。また、携帯端末処理手段２８は、掲示情報３１ｎの対象地域が学区等である場合には、居住者情報３８に登録されている住所がその学区内である居住者の携帯端末８のみへ送信を行うようにすることができるし、掲示情報３１ｎの対象区域が施設６０の特定の棟や階である場合には、居住者情報３８の住所に含まれる棟や階が一致する居住者の携帯端末８のみへ送信を行うようにすることができる。
【００４１】
また、サイネージ情報サーバ２には、通知手段２８２及び回答処理手段２４４を備えることができる。
通知手段２８２は、記憶手段３に記憶された通知情報３２を居住者の携帯端末８に送信し、居住者の携帯端末８から当該通知情報３２に対する回答情報３３を受信したときに当該回答情報３３を通知情報３２と関連付けて記憶手段３に記憶させるように構成することができる。
回答処理手段２４４は、前記管理装置通信手段２４０により管理装置４と接続され、管理装置４により回答情報３３の閲覧及び集計等の処理をさせるように構成することができる。
【００４２】
更に、サイネージ情報サーバ２には、管理情報処理手段２４とは別に、各管理会社の管理会社情報３４、各施設の施設情報３６及び各居住者の居住者情報３８を、各管理装置４からサイネージ情報サーバ２に登録するための登録情報処理手段２９を備えることができる。これにより、上記各情報の登録時のセキュリティを高めることが可能になる。
【００４３】
前記施設情報３６は、当該施設に設置されているサイネージ装置６を識別及び認証するためのサイネージ装置識別情報を含み、前記管理会社情報３４は当該管理会社において管理されている管理装置４を識別及び認証するための管理装置識別情報を含み、前記居住者情報３８は居住者を識別及び認証するための居住者識別情報を含むことが好ましい。通信ネットワーク９を介した通信に当たり、サイネージ情報サーバ２は、サイネージ装置識別情報によりサイネージ装置６を認証し（サイネージ通信手段２６０に設けられる認証手段による。）、管理装置識別情報により管理装置４を認証し（管理装置通信手段２４０に設けられる認証手段による。）、居住者識別情報により携帯端末８を認証し（携帯端末通信手段２８０に設けられる認証手段による。）、情報のセキュリティを保つことができる。
また、サイネージ情報サーバ２においては、施設情報３６と管理会社情報３４、施設情報３６と居住者情報３８を、それぞれ相互に関連付けて記憶手段３に記憶させるようにすることができる。
【００４４】
サイネージ情報サーバ２の具体的な構成方法や接続方法は特に限定されない。例えば、サイネージ情報サーバ２は、１又は２以上のコンピュータによって構成することができ、その数や構成は特に限定されない。各コンピュータは通信ネットワークによって接続されていてもよい。通信ネットワークの構成や相互の接続方法は特に限定されない。
また、使用されるコンピュータも問わず、ＣＰＵ、メモリ、入出力及び通信インタフェース、ハードディスク等の記憶装置等を備える一般的なコンピュータにより構成することができる。記憶手段３は、別個に構成されたものであってもよい。サイネージ情報サーバ２の各手段における主たる制御処理や各手段間のデータ送受等の制御処理は、ＣＰＵによって実行される。
【００４５】
（デジタルサイネージ情報サーバ用プログラム）
デジタルサイネージシステム１に適用されるサイネージ情報サーバ２の各手段は、コンピュータ上でそれら各手段を実行させるプログラムとして実現することができる。本デジタルサイネージ情報サーバ用プログラムは、サイネージ情報サーバ２を構成するコンピュータにおいて、各施設６０の施設情報３６、施設６０毎の掲示情報３１、各管理会社４０の管理会社情報３４及び各居住者の居住者情報３８をそれぞれ蓄積して記憶する記憶機能と、前記管理情報処理手段２４の処理を実行させる管理情報処理機能と、前記サイネージ処理手段２６の処理を実行させるサイネージ処理機能と、前記携帯端末処理手段２８の処理を実行させる携帯端末処理機能と、を備えて構成することができる。
【００４６】
また、前記管理情報処理機能は、管理装置４により掲示情報３１毎の緊急度及び重要度を含む指示情報を入力させ、前記サイネージ処理機能は、前記指示情報に基づいて、各掲示情報３１の表示順序、表示時間及び表示形式を含む前記掲示制御情報を作成するように構成することができる。
更に、デジタルサイネージ情報サーバ用プログラムは、前記通知情報作成手段２４２の処理を実行させる通知情報作成機能、前記通知手段２８２の処理を実行させる通知機能、及び前記回答処理手段２４４の処理を実行させる回答処理機能を備えることができる。また、前記登録情報処理手段２９の処理を実行させる登録情報処理機能を備えることができる。
【００４７】
２．デジタルサイネージシステムの動作
（管理会社情報、施設情報、居住者情報の登録）
管理会社４０は、通信ネットワーク９を介してサイネージ情報サーバ２に管理装置４を接続する。管理装置４をサイネージ情報サーバ２に接続するためには、自己の識別コード（ＩＤ）及びパスワード等を入力し、サイネージ情報サーバ２（管理装置通信手段２４０又は登録情報処理手段２９）により認証を受けるようにすることができる（以下、同様とする）。その認証後、サイネージ情報サーバ２は、登録情報処理手段２９又は管理情報処理手段２４により、管理会社情報３４を登録させるようにすることができる。また、同様に、管理会社４０の管理する各施設６０や、その施設６０のサイネージ装置６についてのサイネージ情報を含む施設情報３６、及び施設６０毎の居住者の携帯端末８等に関する居住者情報３８を登録させることができる。サイネージ情報サーバ２（登録情報処理手段２９又は管理情報処理手段２４）は、入力された各情報を相互に関連付けて、記憶手段３に格納する。
【００４８】
（掲示情報又は通知情報の作成）
管理会社４０は、管理装置４をサイネージ情報サーバ２（管理情報処理手段２４）に適宜接続することができる。管理情報処理手段２４は、管理会社４０から掲示情報３１の作成が求められた場合には、管理装置４の画面上に、例えば図７〜１０のような表示を行い、個々の掲示情報３１を作成させる。掲示情報３１毎に、緊急度及び重要度を含む指示情報を入力させることができる。
管理装置４への表示内容、作成項目等は任意であり、特に限定されない。本例においては、対象施設６０を指定した後、図７のように、表示種別（表示サンプル等）、形式（画像レイアウト）、画像、タイトル等を入力させるようにしている。また、表示時間、テロップ等の指定をさせるようにしている。引き続き、図８のように、掲示の内容（サブタイトル、本文等）を作成させる。更に、図９のように、掲示の背景、アニメーション、掲示開始日及び終了日等を指定可能にしている。管理装置４として携帯端末等が使用される場合には、図１０に示すように簡略に作成可能とすることができる。
【００４９】
上記で対象施設６０を指定するときに、施設６０内の範囲等を指定してもよい。例えば、施設６０内の建物（棟）や階単位の範囲が施設情報として登録されていれば、掲示範囲を建物や階単位及びその範囲の居住者のグループ単位とすることができる。このような範囲の指定は、例えば、設備の点検や清掃の実施等、その範囲に限定される掲示情報に適する。
また、団地単位等とすることで、団地の敷地内に関する掲示情報の掲示のみを表示させることができる。更に、学区単位とすることで、学区単位で提供される情報の掲示に適する。また、市町村の行政区単位等とすれば、行政区単位のサービス、例えばゴミ収集日等の情報の掲示に適する。
【００５０】
上例の作成事項には、掲示すべき正味の情報（タイトル、本文等）と、その掲示方法等の指示情報（画像レイアウト、表示時間、テロップの設定等）が含まれている。掲示情報の作成を簡便にするために、掲示情報の緊急度や重要度、影響度等を指示情報として入力させるようにしてもよい。サイネージ情報サーバ２は、緊急度・重要度等の指示情報に基づき、掲示のレイアウト、表示時間、テロップ等の表示態様を判断するようにすることができる。また、作成者、作成日時等の情報は、管理情報処理手段２４により付加することができる。
【００５１】
管理会社４０は、管理装置４をサイネージ情報サーバ２（通知情報作成手段２４２）に適宜接続し、掲示情報３１の作成と同様に、居住者の携帯端末８への通知情報３２を作成させることができる。
以上のように作成された個々の掲示情報３１又は通知情報３２は、それぞれ記憶手段３に蓄積して記憶される。記憶手段３に蓄積されている掲示情報３１や通知情報３２は、施設６０毎にその管理会社４０の管理装置４により閲覧や編集、変更等を可能とすることができる。例えば、図１１は、掲示情報３１のリストによって個々の掲示情報の編集を可能とするための管理装置４の表示画面である。
【００５２】
（サイネージ装置への掲示）
サイネージ装置６（掲示情報取得手段６４）は、通信ネットワーク９を介してサイネージ情報サーバ２に接続する。サイネージ情報サーバ２への接続は、サイネージ装置６から自己の識別番号、認証コード等を送信し、サイネージ情報サーバ２（サイネージ通信手段２６０）の認証を受けるようにすることができる（以下、同様とする）。その認証後、サイネージ情報サーバ２（サイネージ処理手段２６）は、施設６０毎又はその一定範囲毎に関連付けて記憶手段３に記憶されており、有効期間内である掲示情報３１を、サイネージ装置６における掲示を制御するための掲示制御情報と共にサイネージ装置６に送信する。サイネージ装置６は、受信した掲示制御情報に基づいて、掲示情報３１のうち正味の内容（テキスト、画像等）を表示装置６２に表示することができる。
【００５３】
サイネージ装置６の掲示情報取得手段６４は、一定の周期でサイネージ情報サーバ２に接続し、掲示情報３１の送信を要求するようにすることができる。その周期は特に限定されないが、例えば５〜１０分程度とすることができる。また、掲示情報３１は、サイネージ情報サーバ２から周期的にサイネージ装置６に向けて送信するようにしてもよい。更に、サイネージ情報サーバ２が、掲示情報３１が更新される毎に、サイネージ装置６に向けて掲示情報３１を送信するようにしてもよい。
サイネージ情報サーバ２からサイネージ装置６への掲示情報３１の送信は、その時点で掲示すべき複数件の掲示情報３１をまとめ、掲示制御情報を付して送信するようにすることができる。掲示制御情報は、サイネージ装置６に対して、複数の掲示情報３１の表示順序、表示のレイアウト、表示時間、テロップ等の表示形式等を指示する情報である。
【００５４】
サイネージ装置６（掲示情報取得手段６４）は、受信した複数件の掲示情報３１を表示装置６２の画面上に表示するための表示条件を種々設定することができる。例えば、各掲示情報を順次一定時間表示し、全ての掲示情報を表示させるように設定してもよい。また、複数件の掲示情報を１つの画面に同時に表示するようにレイアウトを設定してもよい。
また、掲示情報３１の件数や、掲示情報３１に付されている掲示制御情報に基づいて、各掲示情報について表示条件を設定するようにすることができる。例えば、個々の掲示情報３１に付された重要度を所定値と比較することによって、重要度に応じて画面上の大きさの配分や文字の大きさ、配色、表示時間の長さ、表示頻度等を設定することができる。重要度の高い情報は、居住者に掲示の内容をより確実に知らせるため、目立つ態様で、相対的に長い時間表示したり、表示の頻度を高くしたりするように設定することができる。また、掲示情報３１に付された緊急度が所定値より高い場合には、居住者に当該掲示の内容をより早く知らせるため、他の情報を表示装置６２で表示していても、画面の一部に常時表示させたり、テロップとして常時流したりするように設定することができる。また、重要度や緊急度の高い情報には、「重要」、「緊急」等の文字や図形を表示するように設定することもできる。
そして、サイネージ装置６（掲示制御手段６６）は、上記設定された条件に従って、表示装置６２に掲示情報を表示することができる。
【００５５】
図１２及び１３は、サイネージ装置６における処理の例を表している。
図１２は掲示情報取得手段６４による処理を表す。先ず一定時間毎にサイネージ情報サーバ２に接続し（ステップＳ１１〜１２）、その時点における掲示情報３１を一括して取得する（Ｓ１３）。次に、掲示情報の件数や掲示情報３１に含まれた掲示制御情報に基づいて、個々の掲示情報３１を表示する条件を設定する（Ｓ１４）。全ての掲示情報について表示条件を設定したら、全ての掲示情報及び表示条件の設定情報を記憶手段６５に格納する（Ｓ１５）。そして、一定時間後に掲示情報３１を再取得するように、ステップＳ１１に戻る。
【００５６】
図１３は掲示制御手段６６による処理を表す。掲示制御手段６６は、上記ステップＳ１５において記憶手段６５に格納された設定情報を参照し、最初に表示する掲示情報を取得する（Ｓ２１）。そして、その掲示情報を表示装置６２に表示し（Ｓ２２）、その表示を表示条件に設定された時間継続する（Ｓ２３）。
上記掲示情報の表示時間が経過したら、再び記憶手段６５に格納された設定情報を参照して、次に表示する掲示情報を取得し（Ｓ２４）、その掲示情報を表示装置６２に表示する（Ｓ２２）。掲示制御手段６６はこれを繰り返して、最後の掲示情報まで表示を行う。全ての掲示情報の表示が終了したときは、再び先頭の掲示情報から表示するようにすることができる。
【００５７】
（携帯端末への掲示）
携帯端末８において、携帯掲示情報取得手段８４は、通信ネットワーク９を介してサイネージ情報サーバ２に接続する。サイネージ情報サーバ２への接続は、携帯端末８から識別番号、認証コード等を送信し、サイネージ情報サーバ２（携帯端末通信手段２８０）の認証を受けるようにすることができる（以下、同様とする）。その認証後、サイネージ情報サーバ２（携帯端末処理手段２８）は、当該居住者が居住する施設６０毎又はその一定範囲毎にグループ分けして記憶手段３に記憶されている掲示情報３１を、携帯端末８における掲示を制御するための掲示制御情報と共に携帯端末８に送信する。携帯端末８において、携帯掲示制御手段は、受信された掲示制御情報に基づいて、掲示情報３１を表示器８２に表示することができる。
【００５８】
携帯端末８の携帯掲示情報取得手段８４は、一定の周期でサイネージ情報サーバ２に接続し、掲示情報３１の送信を要求するようにすることができる。新規な掲示情報３１が存在するときのみに、その送信を要求するようにすることもできる。その周期は特に限定されないが、例えば５〜１０分程度が好ましい。また、サイネージ情報サーバ２が、掲示情報３１が更新されたときに、携帯端末８に向けて掲示情報３１を送信してもよい。また、携帯端末８の操作によって、サイネージ情報サーバ２に接続して掲示情報３１の送信を要求するようにすることもできる。
【００５９】
サイネージ情報サーバ２の携帯端末処理手段２８は、携帯端末８から要求があったとき、その時点で携帯端末８に掲示すべき掲示情報３１を複数件まとめ、掲示制御情報を付して送信するようにすることができる。掲示制御情報は、サイネージ装置６の場合と同様、携帯端末８に対して、複数の掲示情報３１の表示順序、表示のレイアウト、表示時間、テロップ等の表示形式等を指示する情報である。掲示制御情報は、掲示情報３１毎の作成時に指定された指示情報であってもよいし、作成時に指定された緊急度・重要度等の指示情報に基づいて携帯端末処理手段２８により生成されてもよい。
【００６０】
携帯端末８に掲示する掲示情報３１は、所定の条件により選択された情報とすることができる。サイネージ情報サーバ２（携帯端末処理手段２８）は、個々の掲示情報３１作成時に携帯端末８に送信することが指示された情報であって有効期限内の掲示情報のみを、携帯端末８に送信するようにすることができる。また、サイネージ情報サーバ２（携帯端末処理手段２８）は、個々の掲示情報３１作成時に指示された緊急度や重要度を所定値と比較して、緊急度や重要度が高い掲示情報３１のみを携帯端末８に対して送信するようにすることができる。
尚、携帯掲示情報取得手段８４は、掲示情報３１に例えば緊急度の情報が含まれており、その緊急度が所定値より高い掲示情報３１である場合は、携帯端末８の表示器８２にポップアップ表示等を行うと共に、音の発生、通知灯点灯、振動等による注意喚起を行うようにすることができる。
【００６１】
また、携帯端末処理手段２８は、居住者情報３８を参照して、掲示情報３１の対象地域が学区等である場合には、居住者情報３８の住所がその学区内である居住者の携帯端末８のみへ送信を行うようにすることができるし、掲示情報３１の対象区域が施設６０の特定の棟や階である場合には、居住者情報３８の住所に含まれる棟や階が一致する居住者の携帯端末８のみへ送信を行うようにすることができる。
【００６２】
携帯端末８の操作によって携帯掲示制御手段８６が実行されると、携帯掲示制御手段８６は、記憶手段８５に記憶された掲示情報３１の一覧表を作成し、表示器８２に表示することができる。重要度や緊急度が高い掲示情報３１が含まれている場合は、その旨を合わせて一覧等に表示することができる。表示器８２に表示された掲示情報の一覧表は、居住者の操作によって一覧中の任意の掲示情報３１を選択することができる。そして、携帯掲示制御手段８６は、選択された掲示情報３１のテキスト及び画像等を表示器８２に表示する。
【００６３】
図１４及び１５は、携帯端末８における処理の例を表している。
図１４は、携帯掲示情報取得手段８４による処理を表す。携帯掲示情報取得手段８４は、前記のような種々の要因により（本図のステップＳ４１においては、一定時間毎）、サイネージ情報サーバ２に接続する（Ｓ４２）。そして、その時点における携帯端末８向け掲示情報３１を一括して取得し（Ｓ４３）、記憶手段８５に格納する（Ｓ４４）。
【００６４】
図１５は、携帯掲示制御手段８６による処理を表す。携帯掲示制御手段８６は、記憶手段８５に格納された全ての掲示情報３１を取得する（Ｓ５１）。携帯掲示制御手段８６は、掲示情報３１に含まれた掲示制御情報に基づいて、個々の掲示情報３１を携帯端末８の表示器８２に表示する方法を種々設定することができる。例えば、個々の掲示情報３１の表示順、個々の掲示情報３１の重要度・緊急度に基づく表示方法等の設定することができる。
そして、携帯端末８の操作により、携帯掲示制御手段８６は、記憶手段６５に格納された掲示情報３１の一覧を表示器８２に表示することができる（Ｓ５２）。重要度が高い掲示情報３１は、一覧として表示されているときに、他の掲示情報よりも目立つように色を変えたり文字を太くしたりしてもよい。そして、携帯端末８の操作により表示すべき掲示情報３１を選択させ（Ｓ５３）、選択された掲示情報３１を表示器８２に表示することができる（Ｓ５４）。以上のステップＳ５２〜５４は、任意に繰り返し実行することができる。また、緊急度が高い掲示情報３１は、常時表示される通知領域等を利用して表示させることができる。
【００６５】
（携帯端末への通知及び回答処理）
携帯端末８に対する通知情報３２の送信や表示も、サイネージ情報サーバ２の通知手段２８２、携帯端末８上の通知表示手段８７等を用いて、以上の掲示情報３１と同様に行うことができる。
携帯端末８において、携帯掲示情報取得手段８４により受信された通知情報３２を取得した通知表示手段８７は、ポップアップ表示、音、通知灯点灯、振動等によって通知情報３２があることを居住者に知らせることができる。そして、通知情報３２を表示器８２に表示する。通知表示手段８７は、通知情報３２に回答等を求める指示情報が付されている場合には、回答送信手段８８を実行させる。
【００６６】
回答送信手段８８は、表示器８２に回答欄を表示し、居住者に回答等の入力を行わせることができる。その入力終了後、回答送信手段８８は、入力された回答を回答情報３３としてサイネージ情報サーバ２の通知手段２８２に送信する。通知手段２８２は、回答者、回答日時等、必要な情報を適宜付加し、通知情報３２と関連付けて記憶手段３に格納する。
【００６７】
管理会社４０は、管理装置４を用いて、サイネージ情報サーバ２の回答処理手段２４４に接続し、記憶手段３に格納されている回答情報３３を閲覧することができる。このとき、回答処理手段２４４は、回答情報３３の選択肢や居住者の住所等を用いてフィルタリングを行ったり、選択肢別のグラフ図を生成したりする様々な処理を行って、その結果を閲覧させるようにすることもできる。また、通知情報３２を送った各居住者について回答情報３３の送信・未送信の状況を集計して、その結果を閲覧させるようにすることもできる。
【００６８】
尚、本発明においては、以上に示した実施形態に限られず、目的、用途に応じて本発明の範囲内で種々変更した態様とすることができる。本デジタルサイネージシステムの実施例として、サイネージ装置６や携帯端末８がサイネージ情報サーバ２に接続して、掲示情報や通知情報を取得していたが、これに限られず、サイネージ情報サーバ２がサイネージ装置や携帯端末に接続して、掲示情報や通知情報を送信してもよい。
また、実施例では、サイネージ情報サーバ２に接続したときに、全ての掲示情報や通知情報を一度に受信していたが、これに限られず、未受信の掲示情報や通知情報を検出し、検出した未受信の掲示情報や通知情報のみを受信しても良い。
更に、実施例は、主としてマンション用デジタルサイネージシステムを説明したが、これに限られず、本デジタルサイネージシステムは、学校、病院、テナントビル等、様々な施設に対して適用することができる。
また、サイネージ情報サーバ２は、災害等の緊急度の高い情報を配信する他の情報システムから、該情報を受信する緊急情報処理手段を備えることができる。緊急情報処理手段は、配信された該情報を受信したときに、該情報を表示内容に含む緊急度の高い掲示情報を生成し、即座に各サイネージ装置６に送信することができる。そして、各サイネージ装置６の掲示制御手段６６は、受信した緊急度の高い掲示情報を直ちに表示装置６２に表示させることができる。更に、緊急情報処理手段は、緊急度の高い掲示情報を各携帯端末８に送信し、各携帯端末８は携帯掲示制御手段８６により表示器８２に表示させることができる。
【符号の説明】
【００６９】
１；デジタルサイネージシステム、
２；サイネージ情報サーバ、２４；管理情報処理手段、２６；サイネージ処理手段、２８；携帯端末処理手段、２９；登録情報処理手段、２４２；通知情報作成手段、２８２；通知手段、２４４；回答処理手段、
３；記憶手段、
４、４ｘ；管理装置、４０、４０ｘ；管理会社、４１；表示操作手段、４２；サーバアクセス手段、４４；情報編集手段、４６；回答情報処理手段、
６、６Ｘ；サイネージ装置、６０、６０Ｘ；施設、６２；表示装置、６４；掲示情報取得手段、６６；掲示制御手段、
８、８Ｘ；携帯端末、８０、８０ｘ；施設の居住者、８２；表示器、８４；携帯掲示情報取得手段、８６；携帯掲示制御手段。
【図１】
2015225612.tif 000003
【図２】
2015225612.tif 000004
【図３】
2015225612.tif 000005
【図４】
2015225612.tif 000006
【図５】
2015225612.tif 000007
【図６】
2015225612.tif 000008
【図１２】
2015225612.tif 000009
【図１３】
2015225612.tif 000010
【図１４】
2015225612.tif 000011
【図１５】
2015225612.tif 000012
【図１６】
2015225612.tif 000013
【図１７】
2015225612.tif 000014
【図７】
2015225612.tif 000015
【図８】
2015225612.tif 000016
【図９】
2015225612.tif 000017
【図１０】
2015225612.tif 000018
【図１１】
2015225612.tif 000019